(57)【特許請求の範囲】
【請求項１】
物体側から像側へ順に配置された、正の屈折力の第１レンズ群、負の屈折力の第２レンズ群、２つ以上のレンズ群を有し、全体として全ズーム範囲で正の屈折力の後群より構成され、ズーミングに際して隣り合うレンズ群の間隔が変化するズームレンズにおいて、
前記第２レンズ群は３枚以上の負レンズを有し、該３枚以上の負レンズの中で最も物体側に配置された負レンズを負レンズＧ２１、該負レンズ２１の像側に隣接して配置された負レンズを負レンズＧ２２とし、
非球面と参照球面との乖離量の最大値を表す非球面量Ａｒと、非球面における光線有効径Ｅａと、非球面を有するレンズの材料の屈折率Ｎｄが、
０．０００３＜Ａｒ／Ｅａ×Ｎｄ
を満たす場合を、正の非球面量を有する非球面、
−０．０００３＞Ａｒ／Ｅａ×Ｎｄ
を満たす場合を、負の非球面量を有する非球面とするとき、
前記負レンズＧ２１の物体側のレンズ面は、正の非球面量を有する非球面であり、
前記負レンズＧ２１の像側のレンズ面と、前記負レンズＧ２２の物体側のレンズ面と、前記負レンズＧ２２の像側のレンズ面のうち、少なくとも１つのレンズ面は正の非球面量を有する非球面であり、少なくとも１つのレンズ面は負の非球面量を有する非球面であることを特徴とするズームレンズ。
【請求項２】
前記第２レンズ群の最も物体側のレンズ面から、前記第２レンズ群に含まれる非球面の中で最も像側に位置するレンズ面までの光軸上の距離をＤａｓｐ３、前記第２レンズ群の最も物体側のレンズ面から、前記第２レンズ群の最も像側のレンズ面までの光軸上の距離をＢＬＤ２とするとき、
０．１５＜Ｄａｓｐ３／ＢＬＤ２＜０．６０
なる条件式を満足することを特徴とする請求項１に記載のズームレンズ。
【請求項３】
前記第２レンズ群は、２枚以上の正レンズを有することを特徴とする請求項１又は２に記載のズームレンズ。
【請求項４】
前記第１レンズ群の焦点距離をｆ１、広角端における全系の焦点距離をｆｗとするとき、
４．０＜ｆ１／ｆｗ＜８．０
なる条件式を満足することを特徴とする請求項１乃至３のいずれか１項に記載のズームレンズ。
【請求項５】
前記第２レンズ群の焦点距離をｆ２、広角端における全系の焦点距離をｆｗとするとき、
０．６０＜｜ｆ２｜／ｆｗ＜１．１０
なる条件式を満足することを特徴とする請求項１乃至４のいずれか１項に記載のズームレンズ。
【請求項６】
前記後群は物体側から像側へ順に配置された、正の屈折力の第３レンズ群、負の屈折力の第４レンズ群、正の屈折力の第５レンズ群より構成されることを特徴とする請求項１乃至５のいずれか１項に記載のズームレンズ。
【請求項７】
広角端から望遠端へのズーミングに際して、前記第１レンズ群、前記第３レンズ群、前記第４レンズ群、前記第５レンズ群は物体側へ移動し、前記第２レンズ群は物体側に凸状の軌跡で移動することを特徴とする請求項６に記載のズームレンズ。
【請求項８】
広角端から望遠端へのズーミングに際して、前記第１レンズ群、前記第３レンズ群、前記第４レンズ群、前記第５レンズ群は物体側へ移動し、前記第２レンズ群は像側に凸状の軌跡で移動することを特徴とする請求項６に記載のズームレンズ。
【請求項９】
広角端から望遠端へのズーミングに際して、前記第１レンズ群、前記第３レンズ群、前記第４レンズ群、前記第５レンズ群は物体側へ移動し、前記第２レンズ群は物体側へ単調に移動することを特徴とする請求項６に記載のズームレンズ。
【請求項１０】
前記後群は、物体側から像側へ順に配置された、正の屈折力の第３レンズ群、正の屈折力の第４レンズ群、負の屈折力の第５レンズ群、正の屈折力の第６レンズ群より構成され、広角端から望遠端へのズーミングに際して全てのレンズ群が物体側へ移動することを特徴とする請求項１乃至５のいずれか１項に記載のズームレンズ。
【請求項１１】
前記後群は、物体側から像側へ順に配置された、正の屈折力の第３レンズ群、負の屈折力の第４レンズ群より構成され、広角端から望遠端へのズーミングに際して全てのレンズ群が物体側へ移動することを特徴とする請求項１乃至５のいずれか１項に記載のズームレンズ。
【請求項１２】
請求項１乃至１１のいずれか１項に記載のズームレンズと該ズームレンズによって形成される像を受光する撮像素子を有することを特徴とする撮像装置。
【発明の詳細な説明】
【技術分野】
【０００１】
本発明は、ズームレンズに関し、例えばデジタルスチルカメラ、ビデオカメラ、ＴＶカメラ、監視用カメラ等の撮像装置の撮像光学系として好適なものである。
【背景技術】
【０００２】
近年、撮像装置においては、高機能化とともに装置全体が小型化されている。そしてそれに伴って、これらに用いる撮像光学系としては、レンズ全長が短くコンパクトでしかも高ズーム比でズーム全域にわたり高性能（高解像力）なズームレンズであること等が要求されている。全系が小型で高ズーム比のズームレンズとして、正の屈折力のレンズ群が先行する（最も物体側に位置する）ポジティブリード型のズームレンズが知られている（特許文献１乃至３）。
【０００３】
特許文献１では物体側より像側へ順に、正、負、正、負、正の屈折力の５つのレンズ群より成りズーミングに際して隣り合うレンズ群の間隔が変化するズームレンズを開示している。特許文献２では物体側より像側へ順に、正、負、正、正の屈折力の第１レンズ群乃至第４レンズ群よりなり、ズーミングに際して全てのレンズ群が移動するズームレンズを開示している。特許文献３は物体側から像側へ順に、正、負、正、正、負、正の屈折力の第１レンズ群乃至第６レンズ群よりなり、ズーミングに際して隣り合うレンズ群の間隔が変化するズームレンズを開示している。
【先行技術文献】
【特許文献】
【０００４】
【特許文献１】特開２０１０−０３２７０２号公報
【特許文献２】特開２０１３−１５２３７４号公報
【特許文献３】特開２０１２−４７８１４号公報
【発明の概要】
【発明が解決しようとする課題】
【０００５】
近年、撮像装置に用いられるズームレンズは、全系が小型で高ズーム比で、ズーム全域において高解像力であることが強く要望されている。前述したポジティブリード型のズームレンズにおいて全系の小型化及び高解像力化を図るには、例えば主変倍用の負の屈折力の第２レンズ群のパワー（屈折力）を強くするのが良い。しかしながら単に第２レンズ群の屈折力を強めようとすると、第２レンズ群での諸収差の発生が多くなる。もしくは、第２レンズ群を構成するレンズの枚数が多くなり過ぎて、他のレンズ群の可動範囲が限定され、他のレンズ群において諸収差が多く発生し、ズーム全域にわたり高い光学性能を得るのが困難になってくる。
【０００６】
全系の小型化を図りつつ、高ズーム比化を図ったときの諸収差の発生を軽減し、良好なる光学性能を得るにはズームレンズを構成する各レンズ群のレンズ構成、各レンズ群の屈折力、ズームタイプ等を適切に設定することが重要になってくる。また非球面レンズを用いると諸収差の補正が容易になる。
【０００７】
しかしながら非球面レンズを用いて、諸収差の発生を少なくするには、単に非球面レンズを用いるのではなく、光学系中の非球面の位置や、非球面を適用するレンズや非球面量等を適切に設定することが重要である。これらの構成が不適切であると、全系の小型化及び高ズーム比化を図りつつ、ズーム全域において高い光学性能を得るのが大変困難になってくる。
【０００８】
本発明は、全系が小型で高ズーム比で全ズーム範囲で高い光学性能が得られるズームレンズ及びそれを有する撮像装置を提供することを目的とする。
【課題を解決するための手段】
【０００９】
本発明のズームレンズは、物体側から像側へ順に配置された、正の屈折力の第１レンズ群、負の屈折力の第２レンズ群、２つ以上のレンズ群を有し、全体として全ズーム範囲で正の屈折力の後群より構成され、ズーミングに際して隣り合うレンズ群の間隔が変化するズームレンズにおいて、
前記第２レンズ群は３枚以上の負レンズを有し、該３枚以上の負レンズの中で最も物体側に配置された負レンズを負レンズＧ２１、該負レンズ２１の像側に隣接して配置された負レンズを負レンズＧ２２とし、
非球面と参照球面との乖離量の最大値を表す非球面量Ａｒと、非球面における光線有効径Ｅａと、非球面を有するレンズの材料の屈折率Ｎｄが、
０．０００３＜Ａｒ／Ｅａ×Ｎｄ
を満たす場合を、正の非球面量を有する非球面、
−０．０００３＞Ａｒ／Ｅａ×Ｎｄ
を満たす場合を、負の非球面量を有する非球面とするとき、  前記負レンズＧ２１の物体側のレンズ面は、正の非球面量を有する非球面であり、
前記負レンズＧ２１の像側のレンズ面と、前記負レンズＧ２２の物体側のレンズ面と、前記負レンズＧ２２の像側のレンズ面のうち、少なくとも１つのレンズ面は正の非球面量を有する非球面であり、少なくとも１つのレンズ面は負の非球面量を有する非球面であることを特徴としている。
【発明の効果】
【００１０】
本発明によれば、全系が小型で、高ズーム比で全ズーム範囲で高い光学性能が得られるズームレンズが得られる。
【図面の簡単な説明】
【００１１】
【図１】本発明における実施例１のズームレンズの断面図
【図２】（Ａ）、（Ｂ）  本発明の数値実施例１の広角端と望遠端における収差図
【図３】本発明における実施例２のズームレンズの断面図
【図４】（Ａ）、（Ｂ）  本発明の数値実施例２の広角端と望遠端における収差図
【図５】本発明における実施例３のズームレンズの断面図
【図６】（Ａ）、（Ｂ）  本発明の数値実施例３の広角端と望遠端における収差図
【図７】本発明における実施例４のズームレンズの断面図
【図８】（Ａ）、（Ｂ）  本発明の数値実施例４の広角端と望遠端における収差図
【図９】本発明における実施例５のズームレンズの断面図
【図１０】（Ａ）、（Ｂ）  本発明の数値実施例５の広角端と望遠端における収差図
【図１１】本発明における実施例６のズームレンズの断面図
【図１２】（Ａ）、（Ｂ）  本発明の数値実施例６の広角端と望遠端における収差図
【図１３】非球面量の説明図
【図１４】本発明の撮像装置の要部概略図
【発明を実施するための形態】
【００１２】
以下に本発明の好ましい実施形態を添付の図面に基づいて詳細に説明する。本発明のズームレンズは、物体側より像側へ順に配置された、正の屈折力の第１レンズ群、負の屈折力の第２レンズ群、２つ以上のレンズ群を含み、全ズーム範囲において全体として正の屈折力の後群よりなっている。ズーミングに際して隣り合うレンズ群の間隔が変化する。
【００１３】
図１は本発明の実施例１のズームレンズの広角端（短焦点距離端）におけるレンズ断面図である。図２（Ａ）、（Ｂ）はそれぞれ実施例１のズームレンズの広角端、望遠端（長焦点距離端）における収差図である。実施例１はズーム比１２．１４、開口比４．１０〜５．８８のズームレンズである。図３は本発明の実施例２のズームレンズの広角端におけるレンズ断面図である。図４（Ａ）、（Ｂ）はそれぞれ実施例２のズームレンズの広角端、望遠端における収差図である。実施例２はズーム比１２．１４、開口比４．１０〜５．９３のズームレンズである。
【００１４】
図５は本発明の実施例３のズームレンズの広角端におけるレンズ断面図である。図６（Ａ）、（Ｂ）はそれぞれ実施例３のズームレンズの広角端、望遠端における収差図である。実施例３はズーム比１２．１４、開口比４．１０〜５．９９のズームレンズである。図７は本発明の実施例４のズームレンズの広角端におけるレンズ断面図である。図８（Ａ）、（Ｂ）はそれぞれ実施例４のズームレンズの広角端、望遠端における収差図である。実施例４はズーム比１２．１４、開口比４．１０〜５．８９のズームレンズである。
【００１５】
図９は本発明の実施例５のズームレンズの広角端におけるレンズ断面図である。図１０（Ａ）、（Ｂ）はそれぞれ実施例５のズームレンズの広角端、望遠端における収差図である。実施例５はズーム比１２．１４、開口比４．１０〜５．８８のズームレンズである。図１１は本発明の実施例６のズームレンズの広角端におけるレンズ断面図である。図１２（Ａ）、（Ｂ）はそれぞれ実施例６のズームレンズの広角端、望遠端における収差図である。
【００１６】
実施例６はズーム比８．２３、開口比４．１０〜５．８８のズームレンズである。図１３はレンズ面の非球面量の説明図である。図１４は本発明のズームレンズを備えるデジタルスチルカメラ（撮像装置）の要部概略図である。
【００１７】
レンズ断面図において、左方が物体側（前方）で、右方が像側（後方）である。レンズ断面図において、ｉは物体側から像側への各レンズ群の順序を示し、Ｌｉは第ｉレンズ群である。ＬＲは２以上のレンズ群を含み全ズーム範囲において全体として正の屈折力の後群である。ＳＰは開放Ｆナンバー（Ｆｎｏ）光束を決定（制限）する開口絞りの作用をするＦナンバー決定部材（以下「開口絞り」と呼ぶ）である。ＳＳＰは可変絞りであり、フレアー光をカットしている。
【００１８】
ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。又、銀塩フィルム用カメラの撮影光学系として使用する際にはフィルム面に相当する感光面が置かれている。球面収差図において、ｄはｄ線（波長５８７．６ｎｍ）、ｇはｇ線（波長４３５．８ｎｍ）である。非点収差図においてＭはメリディオナル像面、Ｓはサジタル像面を表している。歪曲はｄ線における歪曲を示している。また、倍率色収差は、ｄ線を基準とした際のｇ線の差分を表している。
【００１９】
ＦｎｏはＦナンバーである。ωは撮影半画角（度）である。尚、以下の各実施例において広角端と望遠端は変倍用レンズ群が機構上、光軸上移動可能な両端に位置したときのズーム位置をいう。レンズ断面図において、矢印は広角端から望遠端へのズーミングに際しての各レンズ群の移動軌跡を示している。
【００２０】
次に本発明に係るレンズ面に形成される非球面量の定義について説明する。非球面量Ａｒとは、図１３に示すように、非球面Ｒａの参照球面Ｒｒｅｆからの乖離量の最大値を表している。参照球面Ｒｒｅｆの半径（曲率半径）は、面頂点と面の光線有効径より決定される球面の半径である。非球面Ｒａの参照球面Ｒｒｅｆからの乖離方向が、参照球面Ｒｒｅｆに対して媒質を盛る方向を正の非球面量、媒質を削る方向を負の非球面量と定義する。例えば、図１３に示す非球面Ｒａは、正の非球面量を有する。
【００２１】
本発明に係る正の非球面量を持つ非球面は、下記の条件式（ｘａ）を満たすものをいい、負の非球面量を持つ非球面は、下記の条件式（ｘｂ）を満たすものを言う。
【００２２】
０．０００３＜Ａｒ／Ｅａ×Ｎｄ  ・・・（ｘａ）
−０．０００３＞Ａｒ／Ｅａ×Ｎｄ  ・・・（ｘｂ）
・Ａｒは非球面量である。
・Ｅａは非球面の光線有効径である。
・Ｎｄは非球面レンズの材料の屈折率である。
これらの条件式（ｘａ），（ｘｂ）を逸脱する非球面は、その非球面効果が小さく、本発明の効果が十分に得られないため、本発明に係る非球面には含まれない。
【００２３】
次に、公知の文献のレンズデータや、レンズの実物から非球面量の正負の値を判別する方法、また、具体的に非球面量を算出する方法を示す。非球面量の正負の値の判別、また非球面量の算出には、まず参照球面の半径（曲率半径）を求める必要があり、その参照球面の半径を得るためには、光線有効径を得る必要がある。
【００２４】
文献のレンズデータには、有効径が記載されていない場合がある。その場合、最も簡単に光線有効径を得る方法は、レンズ断面図の描画上のレンズ全長の実寸と、数値データで示される既知のレンズ全長から描画倍率を求め、描画の曲面部径の実寸に描画倍率を掛けることで得られる。レンズ描画の曲面部の径は、光学ツールによっては実際の光線有効径に対し、やや大きく設定されるが、非球面量の正負の値の判別や、大まかな非球面量を知るには、この方法で十分である。
【００２５】
次に、より高精度に光線有効径を得るためには、負の屈折力の第１レンズ群で、マージナルコンタクトを行っている部分や、両凸形状のレンズから算出する方法がある。広画角の撮影レンズの負の屈折力の第１レンズ群は、複数連なる負レンズのレンズ間隔を狭める程、全系の小型化と像面湾曲の補正が容易である。このため、殆どの広画角の撮影レンズでは、負レンズ同志のレンズ周辺部を接触させる、マージナルコンタクトを行うレンズペアが含まれている。
【００２６】
また、両凸形状のレンズのレンズ周辺においても、通常、レンズ周辺厚を加工可能な限り薄くすることで、全系の小型化と像面湾曲の補正が容易となる。このことから、第１レンズ群の全てのレンズ面で、レンズ面同志が交差するポイントを仮の有効径とした上で、光線追跡を行う。その結果、前記仮の有効径のうち、いずれか１点で最周辺光束が決定され、その光線の各レンズ面での高さが光線有効径となる。
【００２７】
次に、レンズの実物から光線有効径を算出する方法について説明する。最も簡単に光線有効径を得る方法は、各レンズの研磨面部の径を測る方法である。多くのレンズでは、本体重量を軽量化するため、有効径に対し、研磨面の最外周の径までの余裕量を極力小さくする。そのため、研磨面径自体を測定すれば、ある程度正確な光線有効径が得られ、非球面量の正負の値の判別や、大まかな非球面量を知ることが十分可能である。
【００２８】
次に、より正確に光線有効径を知る方法は、負の屈折力の第１レンズ群中に、殆どの場合で存在する遮光部材の内径を測る方法である。通常、研磨面と粗擦り面との境界のエッジ部に強い光が当たると、そのエッジ部で光が乱反射し、ゴースト光が発生してしまう。そのため、研磨面と粗擦り面との境界に不要光が当たらないよう、遮光部材を光線有効径に合わせて配置し、不要光をカットする方法が広く用いられている。その遮光部材を仮の有効径とした上で、光線追跡を行う。
【００２９】
その結果、前記仮の有効径のうち、いずれか１点で最周辺光束が決定され、その光線の各レンズ面での高さが光線有効径となる。また、別側面から正確な光線有効径を得る方法を説明する。それは、レンズ系を撮像装置や投影装置との組み合わせで使用し、レンズ系の最前面において、遮光部材を少しずつレンズ外周部から中心に向かって挿入して行く方法である。撮影画像や投影像に陰りが出始める寸前の遮光部材の位置が、レンズ系の最前面での光線有効径となる。そこから光線追跡を行うことで、第１レンズ群の最前面以外の光線有効径も知ることが出来る。
【００３０】
次に、本発明に係る高ズーム比のズームレンズにおいて、ズーム全域での歪曲収差と非点収差を小さくするための方法について、説明する。高ズーム比のズームレンズにおいて、ズーム全域において歪曲収差や非点収差を良好に補正するには、広角端から望遠端へのズーミングに際して収差変動を小さくする必要がある。特に、樽型の歪曲が大きく発生する広角端において歪曲の補正の仕方が重要になってくる。
【００３１】
歪曲収差を小さくする最も簡単な方法は、第１レンズ群と第２レンズ群の屈折力を緩くし、それらのレンズ群間で発生する歪曲収差や非点収差自体を軽減するのが良い。しかしながらこの方法では全系が著しく大型化してくる。そこで本発明では、軸外主光線の入射高ｈａのズーミング時の変化に着目した。高ズーム比のズームレンズでは広角端において、変倍用の負の屈折力の第２レンズ群での軸外主光線の入射高ｈａが非常に大きくなり、負の屈折力で樽型の歪曲が多く発生してくる。それに対し、望遠端において軸外光束は、光軸に近い位置を通るため、歪曲は殆ど発生しない。
【００３２】
特許文献１や特許文献２では、第２レンズ群の最も物体側のレンズ面に、強い正の非球面量を持つ非球面を配置することで、広角端において歪曲を良好に補正している。そのため、ズーミングにより軸外主光線の入射高ｈａが変化することで、歪曲と非点収差が著しく変化していることが分かった。
【００３３】
そこで本発明の高ズーム比のズームレンズにおいて、ズーム全域で歪曲と非点収差を良好に補正するためには、歪曲が最も多く発生する広角端だけに特化して１つのレンズ面で歪曲を補正するのではなく、補正効果を分散させることが有効であることが分かった。
【００３４】
具体的には、第２レンズ群Ｌ２は物体側から像側へ順に、連続して配置された２枚以上の負レンズを有するようにしている。２枚以上の負レンズの中で最も物体側に配置された負レンズを負レンズＧ２１、２枚以上の負レンズに含まれ、負レンズＧ２１とは異なる負レンズを、負レンズＧ２２とする。
【００３５】
このとき負レンズＧ２１の物体側のレンズ面は、正の非球面量よりなる非球面である。負レンズＧ２１の像側のレンズ面と負レンズＧ２２の物体側のレンズ面と負レンズＧ２２の像側のレンズ面のうち少なくとも１つのレンズ面は正の非球面量を有する非球面であり、少なくとも１つのレンズ面は負の非球面を有するレンズ面である。
【００３６】
それにより、歪曲収差の補正を、比較的弱い正の非球面量の２つの非球面で分散して補正しつつ、負の非球面量の非球面で非点収差を補正した。そうすることで、ズーミングに際して軸外主光線の入射高ｈａが大きく変化しても、その非球面効果が著しく変動することを軽減している。
【００３７】
この収差補正方法は、例えるならば、正の屈折力のレンズ群を構成する際、単一の正レンズを使用するよりも、低屈折率の材料よりなる２つの正レンズと、高屈折率の材料よりなる１つの負レンズを使用することで球面収差を良好に補正している。またペッツバール和を小さくできる収差補正概念と類似している。
【００３８】
本発明では以上のようにして、高ズーム比のズームレンズにおいて、ズーム全域で、歪曲収差と非点収差を良好に補正している。
【００３９】
次に、この他の本発明のズームレンズの特徴について説明する。本発明のズームレンズは、正の屈折力の第１レンズ群Ｌ１、負の屈折力の第２レンズＬ２、２つ以上のレンズ群を有し、全体として全ズーム範囲で正の屈折力の後群ＬＲよりなっている。そして第２レンズ群Ｌ２を、物体側より像側へ順に、連続して２枚以上の負レンズを有するようにしている。このうち最も物体側の負レンズを負レンズＧ２１、他の１つの負レンズを負レンズＧ２２とする。
【００４０】
そして負レンズＧ２１の物体側の面が正の非球面量の非球面であり、残り３つのレンズ面のうち少なくとも２つのレンズ面は、正の非球面量の非球面と負の非球面量の非球面である。それにより、広角端において樽型の歪曲を良好に補正しつつ、ズーミングによる急激な歪曲と非点収差の変動も抑えている。
【００４１】
次に、本発明を実施する上で、より好ましい条件について説明する。負レンズＧ２１、負レンズＧ２２以外は、球面よりなるレンズであること、または前述した球面と見なされるレンズ面であることが好ましい。それによれば、軸外主光線の入射高ｈａが低い所のみでの非球面の使用となるため、球面収差やコマ収差に関わる製造誤差の敏感度を小さくすることができる。
【００４２】
本発明において更に好ましくは次の条件式のうち１つ以上を満足するのが良い。第２レンズ群Ｌ２の最も物体側のレンズ面から第２レンズ群Ｌ２に含まれる非球面の中で最も像側に位置するレンズ面までの光軸上の距離をＤａｓｐ３とする。第２レンズ群Ｌ２の最も物体側のレンズ面から第２レンズ群Ｌ２の最も像側のレンズ面までの光軸上の距離（レンズ群長）をＢＬＤ２とする。第１レンズ群Ｌ１の焦点距離をｆ１、広角端における全系の焦点距離をｆｗとする。第２レンズ群Ｌ２の焦点距離をｆ２とする。このとき、次の条件式のうち１つ以上を満足するのが良い。
【００４３】
０．１５＜Ｄａｓｐ３／ＢＬＤ２＜０．６０  ・・・（１）
４．０＜ｆ１／ｆｗ＜８．０                ・・・（２）
０．６０＜−ｆ２／ｆｗ＜１．１０          ・・・（３）
【００４４】
次に前述の各条件式の技術的意味について説明する。条件式（１）は歪曲の補正と非点収差の補正を、より効果的に行うためのものである。条件式（１）の上限値を逸脱すると、広角端において軸外主光線の入射高ｆａが低くなり、歪曲や非点収差を補正する効果が弱くなる。条件式（１）の下限値を逸脱すると、正の非球面と負の非球面での軸外主光線の入射高ｈａの差が少なくなるため、非点収差の補償効果が弱くなる。より好ましくは条件式（１）の数値範囲を次の如く設定するのが良い。
０．２＜Ｄａｓｐ３／ＢＬＤ２＜０．５  ・・・（１ａ）
【００４５】
条件式（２）、（３）は、全系の小型化を図りつつ、高い光学性能を得るためのものである。条件式（２）、（３）の上限を逸脱すると全系が大型化してくる。また条件式（２）、（３）の下限を逸脱すると、ズーミングに際して球面収差の変動が大きくなり、高い光学性能を得るのが困難になる。より好ましくは条件式（２）、（３）の数値範囲を次の如く設定するのが良い。
４．５＜ｆ１／ｆｗ＜７．５                ・・・（２ａ）
０．７０＜−ｆ２／ｆｗ＜１．００          ・・・（３ａ）
【００４６】
各実施例において、第２レンズ群Ｌ２を移動させることにより、フォーカシングを行っている。各実施例において、第２レンズ群Ｌ２は、３枚以上の負レンズと２枚以上の正レンズを有するのが良い。これによれば第２レンズ群Ｌ２により歪曲収差や非点収差の補正が容易となる。
【００４７】
各実施例において、後群ＬＲは物体側から像側へ順に配置された、正の屈折力の第３レンズ群Ｌ３、負の屈折力の第４レンズ群Ｌ４、正の屈折力の第５レンズ群Ｌ５より構成されている。そして広角端から望遠端へのズーミングに際して、第１レンズ群Ｌ１、第３レンズ群Ｌ３、第４レンズ群Ｌ４、第５レンズ群Ｌ５は物体側へ移動している。第２レンズ群Ｌ２は物体側に凸状の軌跡で、又は像側に凸状の軌跡で、又は物体側へ単調に移動する。
【００４８】
又は後群ＬＲは物体側から像側へ順に配置された、正の屈折力の第３レンズ群Ｌ３、正の屈折力の第４レンズ群Ｌ４、負の屈折力の第５レンズ群Ｌ５、正の屈折力の第６レンズ群Ｌ６より構成されている。そして広角端から望遠端へのズーミングに際して全てのレンズ群が物体側へ移動する。又は後群ＬＲは物体側から像側へ順に配置された、正の屈折力の第３レンズ群Ｌ３、負の屈折力の第４レンズ群Ｌ４より構成されている。そして広角端から望遠端へのズーミングに際して全てのレンズ群が物体側へ移動する。
【００４９】
以下、各実施例のレンズ構成について説明する。実施例１は、物体側より像側へ順に配置された、正の屈折力の第１レンズ群Ｌ１、負の屈折力の第２レンズ群Ｌ２、２つ以上のレンズ群を有する後群ＬＲより構成されている。後群ＬＲは物体側から像側へ順に配置された、正の屈折力の第３レンズ群Ｌ３、負の屈折力の第４レンズ群Ｌ４、正の屈折力の第５レンズ群Ｌ５で構成される。実施例１はズーム比１２の５群ズームレンズである。後群ＬＲはズーム全域において正の屈折力である。
【００５０】
広角端から望遠端へのズーミングに際し、第２レンズ群Ｌ２は物体側へ凸状の軌跡で移動し、第１レンズ群Ｌ１、第３レンズ群Ｌ３、第４レンズ群Ｌ４、第５レンズ群Ｌ５は物体側に移動している。このとき広角端に比べて望遠端において第１レンズ群Ｌ１と第２レンズ群Ｌ２の間隔が広く、第２レンズ群Ｌ２と第３レンズ群Ｌ３の間隔が狭くなるようにしている。第３レンズ群Ｌ３と第４レンズ群Ｌ４の間隔が広く、第４レンズ群Ｌ４と第５レンズ群Ｌ５の間隔が狭くなるように各レンズ群が移動する。
【００５１】
第２レンズ群Ｌ２は、４つの負レンズと２つの正レンズから成っている。具体的には物体側から像側へ順に、負、負、負、正、負、正レンズの順に配置されている。物体側より数えた１番目の負レンズＧ２１は、両面が非球面形状であり、２番目の負レンズＧ２２は物体側の面が非球面形状である。これら３つの非球面形状の非球面は物体側から像側へ順に１番目の非球面は正の非球面量、２番目の非球面は負の非球面量、３番目の非球面は正の非球面量となっている。これによって、ズーム全域で歪曲収差と非点収差を良好に補正している。
【００５２】
また、３番目の非球面の光軸方向の位置が、条件式（１）を満たしており、それにより、歪曲を効果的に補正している。また、第１レンズ群Ｌ１と第２レンズ群Ｌ２のパワー（屈折力）が、条件式（２）、（３）を満たしており、これにより全系の小型化を図りつつ、高い光学性能を得ている。
【００５３】
実施例２は、レンズ群の数、各レンズ群の屈折力等は実施例１と同じである。実施例２はズーム比１２の５群ズームレンズである。後群ＬＲはズーム全域において正の屈折力である。広角端から望遠端へのズーミングに際し、第２レンズ群Ｌ２は像側へ凸状の軌跡で移動し、第１レンズ群Ｌ１、第３レンズ群Ｌ３、第４レンズ群Ｌ４、第５レンズ群Ｌ５は物体側に移動している。
【００５４】
このとき広角端に比べて望遠端において第１レンズ群Ｌ１と第２レンズ群Ｌ２の間隔が広く、第２レンズ群Ｌ２と第３レンズ群Ｌ３の間隔が狭くなるようにしている。第３レンズ群Ｌ３と第４レンズ群Ｌ４の間隔が広く、第４レンズ群Ｌ４と第５レンズ群Ｌ５の間隔が狭くなるように各レンズ群が移動する。第２レンズ群Ｌ２は、３つの負レンズと３つの正レンズから成っている。具体的には物体側から像側へ順に、負、負、正、正、負、正の順に配置されている。
【００５５】
物体側より順に１番目の負レンズＧ２１は、両面が非球面形状であり、２番目の負レンズＧ２２は物体側の面が非球面形状である。これらの３つの非球面形状の非球面は物体側から像側へ順に、１番目の非球面は正の非球面量、２番目の非球面は負の非球面量、３番目の非球面は正の非球面量となっている。これによって、ズーム全域で歪曲収差と非点収差を良好に補正している。
【００５６】
また、３番目の非球面の光軸方向の位置が、条件式（１）を満たしており、それにより、歪曲を効果的に補正している。また、第１レンズ群Ｌ１と第２レンズ群Ｌ２のパワーが、条件式（２），（３）を満たしており、これにより全系の小型化を図りつつ、高い光学性能を得ている。
【００５７】
実施例３は、レンズ群の数、各レンズ群の屈折力等は実施例１と同じである。実施例３はズーム比１２の５群ズームレンズである。後群ＬＲはズーム全域において正の屈折力である。広角端から望遠端へのズーミングに際し、全てのレンズ群が物体側に移動している。このとき、広角端に比べて望遠端において第１レンズ群Ｌ１と第２レンズ群Ｌ２の間隔が広く、第２レンズ群Ｌ２と第３レンズ群Ｌ３の間隔が狭くなるようにしている。第３レンズ群Ｌ３と第４レンズ群Ｌ４の間隔が広く、第４レンズ群Ｌ４と第５レンズ群Ｌ５の間隔が狭くなるように各レンズ群が移動する。
【００５８】
第２レンズ群Ｌ２は、４つの負レンズと２つの正レンズから成っている。具体的には物体側から像側へ順に、負、負、負、正、負、正レンズの順に配置されている。物体側より数えた１番目の負レンズＧ２１は、両面が非球面形状であり、２番目の負レンズＧ２２は物体側の面が非球面形状である。これら３つの非球面形状の非球面は物体側から像側へ順に１番目の非球面は正の非球面量、２番目の非球面は負の非球面量、３番目の非球面は正の非球面量となっている。これによって、ズーム全域で歪曲収差と非点収差を良好に補正している。
【００５９】
また、３番目の非球面の光軸方向の位置が、条件式（１）を満たしており、それにより、歪曲を効果的に補正している。また、第１レンズ群Ｌ１と第２レンズ群Ｌ２のパワー（屈折力）が、条件式（２）、（３）を満たしており、これにより全系の小型化を図りつつ、高い光学性能を得ている。
【００６０】
実施例４はレンズ群の数、各レンズ群の屈折力等は実施例１と同じである。実施例４はズーム比１２の５群ズームレンズである。後群ＬＲはズーム全域において正の屈折力である。広角端から望遠端へのズーミングに際し、全てのレンズ群が物体側に移動している。このとき、広角端に比べて望遠端において第１レンズ群Ｌ１と第２レンズ群Ｌ２の間隔が広く、第２レンズ群Ｌ２と第３レンズ群Ｌ３の間隔が狭くなるようにしている。第３レンズ群Ｌ３と第４レンズ群Ｌ４の間隔が広く、第４レンズ群Ｌ４と第５レンズ群Ｌ５の間隔が狭くなるように各レンズ群が移動する。
【００６１】
第２レンズ群Ｌ２は、３つの負レンズと３つの正レンズから成っている。具体的には物体側から像側へ順に、負、負、正、正、負、正の順に配置されている。物体側より順に１番目の負レンズＧ２１は、両面が非球面形状であり、２番目の負レンズＧ２２は物体側の面が非球面形状である。これらの３つの非球面形状の非球面は物体側から像側へ順に、１番目の非球面は正の非球面量、２番目の非球面は負の非球面量、３番目の非球面は正の非球面量となっている。これによって、ズーム全域で歪曲収差と非点収差を良好に補正している。
【００６２】
また、３番目の非球面の光軸方向の位置が、条件式（１）を満たしており、それにより、歪曲を効果的に補正している。また、第１レンズ群Ｌ１と第２レンズ群Ｌ２のパワーが、条件式（２），（３）を満たしており、これにより全系の小型化を図りつつ、高い光学性能を得ている。
【００６３】
実施例５は物体側より像側へ順に配置された、正の屈折力の第１レンズ群Ｌ１、負の屈折力の第２レンズ群Ｌ２、２つ以上のレンズ群を有する後群ＬＲより構成されている。後群ＬＲは物体側から像側へ順に、正の屈折力の第３レンズ群Ｌ３、正の屈折力の第４レンズ群Ｌ４、負の屈折力の第５レンズ群Ｌ５、正の屈折力の第６レンズ群Ｌ６で構成される。実施例５はズーム比１２の６群ズームレンズである。後群ＬＲはズーム全域において正の屈折力である。広角端から望遠端へのズーミングに際し、全てのレンズ群が物体側へ移動している。
【００６４】
このとき広角端に比べて望遠端において第１レンズ群Ｌ１と第２レンズ群Ｌ２の間隔が広く、第２レンズ群Ｌ２と第３レンズ群Ｌ３の間隔が狭くなるようにしている。第３レンズ群Ｌ３と第４レンズ群Ｌ４の間隔が狭く、第４レンズ群Ｌ４と第５レンズ群Ｌ５の間隔が広く、第５レンズ群と第６レンズ群の間隔が狭くなるように各レンズ群が移動する。第２レンズ群Ｌ２は、４つの負レンズと２つの正レンズから成っている。具体的には物体側から像側へ順に、負、負、負、正、負、正レンズの順に配置されている。
【００６５】
物体側より数えた１番目の負レンズＧ２１は、両面が非球面形状であり、３番目の負レンズＧ２２は物体側の面が非球面形状である。これら３つの非球面形状の非球面は物体側から像側へ順に１番目の非球面は正の非球面量、２番目の非球面は負の非球面量、３番目の非球面は正の非球面量となっている。これによって、ズーム全域で歪曲収差と非点収差を良好に補正している。
【００６６】
また、３番目の非球面の光軸方向の位置が、条件式（１）を満たしており、それにより、歪曲を効果的に補正している。また、第１レンズ群Ｌ１と第２レンズ群Ｌ２のパワー（屈折力）が、条件式（２）、（３）を満たしており、これにより全系の小型化を図りつつ、高い光学性能を得ている。
【００６７】
実施例６は、物体側より像側へ順に配置された、正の屈折力の第１レンズ群Ｌ１、負の屈折力の第２レンズ群Ｌ２、２つ以上のレンズ群を有する後群ＬＲより構成されている。後群ＬＲは物体側から像側へ順に、正の屈折力の第３レンズ群Ｌ３、負の屈折力の第４レンズ群Ｌ４で構成される。実施例６はズーム比８．２の４群ズームレンズである。後群ＬＲはズーム全域において正の屈折力である。
【００６８】
広角端から望遠端へのズーミングに際し、全てのレンズ群が物体側へ移動している。このとき広角端に比べて望遠端において第１レンズ群Ｌ１と第２レンズ群Ｌ２の間隔が広く、第２レンズ群Ｌ２と第３レンズ群Ｌ３の間隔が狭くなるようにしている。第３レンズ群Ｌ３と第４レンズ群Ｌ４の間隔が広くなるように各レンズ群が移動する。第２レンズ群Ｌ２は、４つの負レンズと２つの正レンズから成っている。具体的には物体側から像側へ順に、負、負、負、正、負、正レンズの順に配置されている。
【００６９】
物体側より数えた１番目の負レンズＧ２１は、両面が非球面形状であり、３番目の負レンズＧ２２は物体側の面が非球面形状である。これら３つの非球面形状の非球面は物体側から像側へ順に１番目の非球面は正の非球面量、２番目の非球面は負の非球面量、３番目の非球面は正の非球面量となっている。これによって、ズーム全域で歪曲収差と非点収差を良好に補正している。
【００７０】
また、３番目の非球面の光軸方向の位置が、条件式（１）を満たしており、それにより、歪曲を効果的に補正している。また、第１レンズ群Ｌ１と第２レンズ群Ｌ２のパワー（屈折力）が、条件式（２）、（３）を満たしており、これにより全系の小型化を図りつつ、高い光学性能を得ている。
【００７１】
以上、本発明のズームレンズの好ましい実施例について説明したが、本発明はこれらの実施例に限定されないことは言うまでもなく、その要旨の範囲内で種々の変形及び変更が可能である。
【００７２】
次に本発明の各実施例の数値実施例を示す。各数値実施例においてｉは物体側からの面の順序を示し、ｒｉはレンズ面の曲率半径、ｄｉは第ｉ面と第ｉ＋１面との間のレンズ肉厚および空気間隔、ｎｄｉ、νｄｉはそれぞれｄ線に対する屈折率、アッベ数を示す。ＢＦはバックフォーカスであり、最終レンズ面から像面までの距離で示している。レンズ全長は第１レンズ面から像面までの距離である。非球面形状は光軸方向にＸ軸、光軸と垂直方向にＨ軸、光の進行方向を正としＲを近軸曲率半径、Ｋを円錐定数、Ａ４，Ａ６，Ａ８，Ａ１０を各々非球面係数としたとき、
【００７３】
【数１】
0006501495.tif 000002
【００７４】
なる式で表している。また［ｅ＋Ｘ］は［×１０＋ｘ］を意味し、［ｅ−Ｘ］は［×１０−ｘ］を意味している。非球面は面番号の後に＊を付加して示す。また、各光学面の間隔dが（可変）となっている部分は、ズーミングに際して変化するものであり、別表に焦点距離に応じた面間隔を記している。また、各光学面の有効径が（可変）となっている部分は、ズーミングに際して変化するものであり、別表に可変面番号を「ｅａｉ」とし、焦点距離に応じた有効径を記している。また前述の各パラメータ及び各条件式と数値実施例の関係を表１に示す。
【００７５】
表１において、
Ａｒ１１，Ｅａ１１，Ａｓｐ１は１番目の非球面量，有効径，条件式（ｘａ）、
Ａｒ１２，Ｅａ１２，Ａｓｐ２は２番目の非球面量，有効径，条件式（ｘｂ）、
Ａｒ２１，Ｅａ２１，Ａｓｐ３は３番目の非球面量，有効径，条件式（ｘａ）、
を示している。
【００７６】
（数値実施例１）
単位 mm
面データ
面番号       r        d      nd         νd       有効径
1        262.675    2.00   1.88300    40.8       65.82
2         86.266    9.15   1.49700    81.5       60.83
3       -448.626    0.15                         60.66
4         83.266    6.85   1.59522    67.7       59.96
5        829.784  (可変)                         59.38
6*         ∞       1.60   1.85400    40.4       33.56
7*        22.011    4.47                         26.11
8*       134.326    1.40   1.77250    49.6       25.81
9         48.634    2.27                         24.38
10       -118.847    1.20   1.76385    48.5       24.31
11         49.293    4.06   1.72047    34.7       23.31
12        -57.532    2.17                         23.33
13        -21.928    1.20   1.59522    67.7       23.32
14       -116.471    0.15                         24.75
15        186.806    3.04   1.85478    24.8       26.17
16        -77.228  (可変)                         26.84
17(可変絞り)∞     (可変)                         (可変)
18(絞り)    ∞     (可変)                         28.80
19         63.157    2.79   1.68893    31.1       29.44
20        202.862    0.15                         29.65
21         45.469    3.96   1.59522    67.7       30.38
22        474.814    0.15                         30.27
23         40.003    5.16   1.48749    70.2       30.08
24       -247.814    1.50   2.00100    29.1       29.53
25        260.527    0.15                         29.08
26         37.940    1.50   2.00100    29.1       28.39
27         18.728    7.67   1.58313    59.4       26.20
28*      -114.480  (可変)                         25.83
29*      -110.893    1.10   1.85400    40.4       20.28
30        109.268    1.00                         20.29
31       -156.672    1.10   1.88300    40.8       20.33
32         25.208    3.36   1.84666    23.8       20.98
33        196.182  (可変)                         21.25
34         43.435    6.52   1.59522    67.7       30.01
35        -69.776    0.15                         30.13
36         87.533    1.40   2.00100    29.1       29.59
37         22.893    5.63   1.43875    94.9       28.29
38         36.202    1.06                         29.25
39         37.270    7.43   1.64769    33.8       30.32
40        -65.462    2.48                         30.56
41        -29.375    1.60   1.88300    40.8       30.56
42        -47.471                                 32.02
【００７７】
非球面データ
第6面
K = 0.00000e+000  A 4= 1.86620e-005  A 6=-3.04876e-008  A 8= 1.60015e-011  A10=-6.99764e-015  
第7面
K = 0.00000e+000  A 4= 8.50229e-006  A 6= 4.56149e-008  A 8=-6.92293e-011  A10= 1.18149e-012  
第8面
K = 0.00000e+000  A 4=-4.19520e-006  A 6= 2.70106e-008  A 8= 1.21290e-010  A10= 2.28500e-013  
第28面
K = 0.00000e+000  A 4= 8.33882e-006  A 6=-1.20374e-008  A 8= 2.87452e-011  A10=-5.98571e-014  
第29面
K = 0.00000e+000  A 4= 4.12934e-006  A 6=-1.25462e-008  A 8= 7.22837e-011  A10=-1.38628e-013  
【００７８】
各種データ
ズーム比     12.14 
広角     中間     望遠
焦点距離      24.30    99.98   294.95  
Fナンバー      4.10     5.76     5.88  
半画角（度）  41.68    12.21     4.20  
像高          21.64    21.64    21.64  
レンズ全長   197.38   245.98   298.53  
BF            38.90    91.95    92.55  
d 5            2.33    32.83    93.55  
d16           17.22     9.20     0.50  
d17           18.00     1.08     1.00  
d18           10.00     0.00     0.00  
d28            1.25    12.04    14.34  
d33           14.09     3.30     1.00 
ea17          13.60    27.14    27.81 
ズームレンズ群データ
群  始面    焦点距離  レンズ構成長  前側主点位置  後側主点位置
1    1     154.14        18.15         7.34         -4.27
2    6     -20.26        21.56         1.16        -15.77
3   17       ∞           0.00         0.00         -0.00
4   18       ∞           0.00         0.00         -0.00
5   19      30.36        23.04         3.34        -11.65
6   29     -36.46         6.56         1.25         -2.70
7   34      71.55        26.28         0.46        -17.34
【００７９】
（数値実施例２）
単位 mm
面データ
面番号       r        d      nd         νd       有効径
1        282.762    2.00   1.83481    42.7       66.04
2         81.668    8.92   1.49700    81.5       60.46
3       -586.894    0.15                         58.86
4         82.401    6.59   1.59522    67.7       57.64
5       1002.091  (可変)                         57.02
6*      -118.848    1.60   1.88300    40.8       36.16
7*        24.522    7.53                         27.87
8*       -41.458    1.30   1.88300    40.8       27.69
9         69.724    3.09   1.85478    24.8       27.20
10       -361.767    0.15                         27.06
11       1189.953    4.16   1.72047    34.7       26.94
12        -35.865    1.86                         26.73
13        -22.324    1.20   1.59522    67.7       26.73
14        -55.563    0.15                         27.64
15        624.717    2.81   1.80000    29.8       29.45
16       -100.191  (可変)                         30.10
17(可変絞り)∞     (可変)                         (可変)
18(絞り)    ∞     (可変)                         30.98
19         79.830    4.71   1.51633    64.1       32.42
20        -92.794    0.15                         32.73
21         65.500    6.86   1.51823    58.9       33.15
22        -47.641    1.50   2.00100    29.1       32.96
23        -96.955    0.15                         33.25
24         38.719    1.50   1.90366    31.3       32.47
25         23.224    8.29   1.58313    59.4       30.60
26*      -131.543  (可変)                         30.09
27       -852.531    1.10   1.88300    40.8       23.85
28         81.384    1.76                         23.28
29        -73.777    1.10   1.88300    40.8       23.28
30         61.571    4.15   1.84666    23.8       23.29
31        -45.255    0.42                         23.48
32        -70.767    1.10   1.88300    40.8       23.39
33         96.236  (可変)                         23.68
34         94.091    6.36   1.49700    81.5       36.00
35        -69.283    0.15                         36.35
36         67.608    1.90   2.00100    29.1       36.18
37         30.690    8.66   1.59522    67.7       34.77
38       -226.494    0.15                         34.69
39        150.720    1.80   1.90366    31.3       34.43
40         23.257   11.35   1.68893    31.1       33.02
41        -74.361    1.01                         33.13
42        -49.134    1.80   1.88300    40.8       33.13
43       -197.635                                 33.94
【００８０】
非球面データ
第6面
K = 0.00000e+000  A 4= 2.32893e-005  A 6=-4.11485e-008  A 8= 7.29666e-011  A10=-6.50838e-014  
第7面
K = 0.00000e+000  A 4= 7.30571e-006  A 6= 3.37954e-008  A 8=-2.01056e-010  A10= 1.15910e-012  
第8面
K = 0.00000e+000  A 4=-4.67021e-006  A 6= 8.01979e-009  A 8= 2.22302e-011  A10= 1.40305e-013  
第26面
K = 0.00000e+000  A 4= 2.72281e-006  A 6=-3.68196e-009  A 8= 1.11205e-011  A10=-2.32863e-014  
【００８１】
各種データ
ズーム比     12.14 
広角     中間     望遠
焦点距離      24.30    99.99   294.97  
Fナンバー      4.10     5.53     5.93  
半画角（度）  41.68    12.21     4.19  
像高          21.64    21.64    21.64  
レンズ全長   238.52   260.98   316.46  
BF            38.90    92.94   101.87  
d 5            2.74    35.01    94.48  
d16           25.02    10.10     0.50  
d17           10.50     0.50     0.50  
d18           25.99     1.72     0.50  
d26            0.80     9.04    10.11  
d33           27.07     4.17     1.00  
ea17          15.54    29.57    30.98
ズームレンズ群データ
群  始面    焦点距離  レンズ構成長  前側主点位置  後側主点位置
1    1     157.46        17.66         7.41         -3.91
2    6     -22.71        23.85        -0.80        -20.62
3   17       ∞           0.00         0.00         -0.00
4   18       ∞           0.00         0.00         -0.00
5   19      31.60        23.17         5.88         -9.57
6   27     -35.62         9.63         2.34         -3.69
7   34      91.89        33.18        -6.59        -24.90
【００８２】
（数値実施例３）
単位 mm
面データ
面番号       r        d      nd         νd       有効径
1        191.882    2.00   1.88300    40.8       64.63
2         75.995    8.76   1.49700    81.5       59.36
3      -1228.861    0.15                         58.91
4         76.799    6.89   1.59522    67.7       57.64
5        799.157  (可変)                         56.95
6*         ∞       1.60   1.85400    40.4       33.92
7*        21.496    4.93                         25.98
8*       405.002    1.50   1.77250    49.6       25.90
9         57.464    3.40                         24.74
10        -41.743    1.20   1.77250    49.6       24.61
11        423.803    3.85   1.72047    34.7       24.36
12        -33.472    1.69                         24.24
13        -20.528    1.20   1.59522    67.7       24.24
14        -65.604    0.15                         25.88
15        511.857    3.08   1.85478    24.8       27.69
16        -68.491  (可変)                         28.41
17(可変絞り)∞     (可変)                         (可変)
18(絞り)    ∞       0.00                         29.88
19         64.899    5.20   1.58913    61.1       31.69
20        -78.082    0.15                         31.97
21         90.708    6.22   1.56384    60.7       32.06
22        -43.315    1.50   2.00100    29.1       31.87
23       -117.956    0.15                         32.17
24         31.690    1.50   1.90366    31.3       31.62
25         19.753    9.51   1.58313    59.4       29.40
26*      -120.893  (可変)                         28.73
27        -95.932    1.10   1.88300    40.8       24.59
28         44.658    5.08   1.84666    23.8       23.97
29        -39.030    1.10   1.85400    40.4       23.70
30*        41.088  (可変)                         22.99
31         33.917    6.10   1.59522    67.7       26.88
32        -64.096    0.15                         26.88
33        134.924    1.30   2.00100    29.1       26.31
34         17.819   11.17   1.60342    38.0       25.01
35        -28.425    0.73                         25.63
36        -23.591    1.40   1.88300    40.8       25.62
37        -56.257                                 27.18
【００８３】
非球面データ
第6面
K = 0.00000e+000  A 4= 2.15641e-005  A 6=-1.59405e-008  A 8=-1.70228e-010  A10= 3.04762e-013  
第7面
K = 0.00000e+000  A 4= 1.89375e-005  A 6= 1.10852e-007  A 8=-7.63747e-011  A10= 1.49508e-012  
第8面
K = 0.00000e+000  A 4= 2.71002e-006  A 6= 5.16814e-008  A 8= 2.76700e-010  A10= 7.67569e-013  
第26面
K = 0.00000e+000  A 4= 5.01527e-006  A 6=-1.02262e-008  A 8= 1.27987e-011  A10=-1.36611e-014  
第30面
K = 0.00000e+000  A 4=-6.88605e-006  A 6= 6.23774e-010  A 8= 3.09305e-011  A10=-1.47376e-013  
【００８４】
各種データ
ズーム比     12.14
広角     中間     望遠
焦点距離      24.30   100.00   294.99  
Fナンバー      4.10     5.66     5.99  
半画角（度）  41.68    12.21     4.19  
像高          21.64    21.64    21.64  
レンズ全長   196.23   246.15   298.43  
BF            38.91    98.09   109.87  
d 5            2.23    35.29    86.36  
d16           22.86     1.23     1.00  
d17           20.48     9.43     1.00  
d26            1.41     6.22     6.44  
d30           17.58     3.14     1.00  
ea17          15.77    23.49    29.88
ズームレンズ群データ
群  始面    焦点距離  レンズ構成長  前側主点位置  後側主点位置
1    1     143.57        17.80         6.33         -5.09
2    6     -19.46        22.59         0.78        -18.07
3   17       ∞           0.00         0.00         -0.00
4   19      28.41        24.23         5.64        -10.33
5   27     -31.43         7.28         2.60         -1.23
6   31      77.39        20.85        -3.18        -15.83
【００８５】
（数値実施例４）
単位 mm
面データ
面番号       r        d      nd         νd       有効径
1        227.782    2.00   1.88300    40.8       65.30
2         80.810    8.74   1.49700    81.5       60.06
3       -754.473    0.15                         58.94
4         82.226    6.67   1.59522    67.7       57.69
5       1213.652  (可変)                         57.01
6*     -1923.842    1.60   1.85400    40.4       34.85
7*        20.809    7.07                         26.66
8*       -51.953    1.30   1.85400    40.4       26.46
9         33.332    3.70   1.85478    24.8       25.18
10        460.674    0.15                         24.85
11       1832.726    3.45   1.72047    34.7       24.84
12        -38.450    1.54                         24.52
13        -22.981    1.20   1.59522    67.7       24.52
14       -125.245    0.15                         26.68
15        150.623    2.80   1.80000    29.8       28.35
16       -143.898  (可変)                         28.98
17(可変絞り)∞     (可変)                         (可変)
18(絞り)    ∞       0.00                         30.20
19         74.960    3.38   1.63854    55.4       31.56
20      -1029.641    0.15                         31.88
21         56.773    3.46   1.59522    67.7       32.73
22        256.437    0.15                         32.68
23         40.411    5.98   1.51742    52.4       32.76
24       -160.442    1.50   2.00100    29.1       32.28
25        635.862    0.15                         31.87
26         36.464    1.50   2.00100    29.1       30.94
27         19.249    8.55   1.58313    59.4       28.38
28*      -110.217  (可変)                         27.99
29      -1128.192    1.10   1.88300    40.8       20.93
30         98.181    0.95                         20.61
31       -127.544    1.10   1.88300    40.8       20.61
32         22.320    3.36   1.84666    23.8       20.69
33*        91.124  (可変)                         20.83
34         47.777    5.76   1.49700    81.5       26.33
35        -52.463    0.15                         26.56
36         96.080    1.30   2.00100    29.1       26.43
37         21.618    4.41   1.49700    81.5       25.68
38         37.474    1.47                         26.44
39         38.163    6.93   1.69895    30.1       28.14
40        -62.571    1.84                         28.51
41        -30.876    1.50   1.88300    40.8       28.51
42        -56.114                                 29.79 
【００８６】
非球面データ
第6面
K = 0.00000e+000  A 4= 1.79515e-005  A 6=-4.32442e-008  A 8= 8.79878e-011  A10=-7.98746e-014  
第7面
K = 0.00000e+000  A 4= 6.54163e-006  A 6= 4.63763e-009  A 8=-6.77907e-011  A10= 8.00478e-013  
第8面
K = 0.00000e+000  A 4=-3.12178e-006  A 6= 2.99486e-009  A 8= 8.37239e-011  A10=-1.35083e-013  
第28面
K = 0.00000e+000  A 4= 7.04783e-006  A 6=-9.97816e-009  A 8= 1.78001e-011  A10=-4.22406e-014  
第33面
K = 0.00000e+000  A 4=-4.31898e-006  A 6= 1.01275e-008  A 8=-6.15621e-011  A10= 1.15671e-013  
【００８７】
各種データ
ズーム比     12.14 
広角     中間     望遠
焦点距離      24.30   100.00   294.99  
Fナンバー      4.10     5.60     5.89  
半画角（度）  41.68    12.21     4.19  
像高          21.64    21.64    21.64  
レンズ全長   197.97   242.42   298.48  
BF            38.89    91.12    96.32  
d 5            2.30    31.28    90.82  
d16           20.61     3.14     0.50  
d17           26.33     7.05     1.00  
d28            0.81    11.39    13.64  
d33           13.83     3.24     1.00  
ea17          14.73    25.38    29.63
【００８８】
ズームレンズ群データ
群  始面    焦点距離  レンズ構成長  前側主点位置  後側主点位置
1    1     152.70        17.56         6.92         -4.33
2    6     -19.88        22.96         1.11        -16.29
3   17       ∞           0.00         0.00         -0.00
4   18      29.42        24.81         4.41        -11.90
5   29     -35.44         6.52         2.00         -1.88
6   34      87.58        23.36         1.20        -14.67
【００８９】
（数値実施例５）
単位 mm
面データ
面番号       r        d      nd         νd       有効径
1        237.559    2.00   1.88300    40.8       65.47
2         84.179    9.23   1.49700    81.5       62.14
3       -652.561    0.15                         61.89
4         83.688    7.05   1.59522    67.7       60.95
5        933.296  (可変)                         60.29
6*         ∞       1.60   1.85400    40.4       33.95
7*        21.193    5.45                         26.10
8       -277.277    1.40   1.77250    49.6       25.90
9        144.541    1.64                         24.84
10*       -81.185    1.20   1.76385    48.5       24.75
11         96.300    3.60   1.72047    34.7       24.01
12        -48.902    1.76                         23.65
13        -23.407    1.20   1.59522    67.7       23.65
14       -137.459    0.15                         24.70
15        151.600    2.96   1.85478    24.8       26.03
16        -88.806  (可変)                         26.65
17(可変絞り)∞     (可変)                         (可変)
18(絞り)    ∞     (可変)                         28.10
19         53.332    2.44   1.69895    30.1       29.34
20         90.359  (可変)                         29.48
21         41.807    4.62   1.59522    67.7       30.33
22       -499.193    0.15                         30.24
23         43.853    4.35   1.49700    81.5       29.90
24       1027.648    0.15                         29.34
25*        64.904    1.50   2.00100    29.1       28.69
26         22.379    6.84   1.56883    56.4       26.88
27       -125.683  (可変)                         26.70
28       -107.500    1.10   1.88300    40.8       22.14
29         41.771    0.15                         22.33
30         36.244    3.57   1.85478    24.8       22.67
31       -177.475    1.10   1.85400    40.4       22.76
32*        52.720  (可変)                         22.74
33         57.220    6.58   1.59522    67.7       31.63
34        -59.664    0.15                         31.81
35         77.238    1.40   2.00100    29.1       31.02
36         21.153    5.17   1.43875    94.9       29.28
37         33.053    0.63                         30.24
38         31.811    8.18   1.64769    33.8       31.73
39        -82.357    1.88                         31.93
40        -38.721    1.60   1.88300    40.8       31.93
41        -71.489                                 33.02
【００９０】
非球面データ
第6面
K = 0.00000e+000  A 4= 1.94899e-005  A 6=-5.58353e-008  A 8= 1.46441e-010  A10=-1.75111e-013  
第7面
K = 0.00000e+000  A 4= 1.06964e-005  A 6= 5.77937e-009  A 8=-1.27014e-010  A10= 1.53276e-012  
第10面
K = 0.00000e+000  A 4=-3.46897e-006  A 6= 9.83790e-009  A 8= 6.81292e-012  A10= 2.23747e-013  
第25面
K = 0.00000e+000  A 4=-4.64496e-006  A 6=-3.41074e-010  A 8=-6.55903e-013  A10= 1.21737e-015  
第32面
K = 0.00000e+000  A 4=-2.77060e-006  A 6= 5.17029e-009  A 8=-2.00629e-011  A10= 6.45952e-014  
【００９１】
各種データ
ズーム比     12.14 
広角     中間     望遠
焦点距離      24.30    99.99   294.99  
Fナンバー      4.10     5.71     5.88  
半画角（度）  41.68    12.21     4.19  
像高          21.64    21.64    21.64  
レンズ全長   198.55   245.71   298.53  
BF            39.59    92.36    93.20  
d 5            2.40    33.70    94.78  
d16           17.02     2.13     0.50  
d17           17.99     8.46     1.00  
d18           10.00     0.00     0.00  
d20            3.04     0.55     0.55  
d27            1.28    13.76    16.34  
d32           16.27     3.78     1.21  
ea17          13.35    23.06    27.40
【００９２】
ズームレンズ群データ
群  始面    焦点距離  レンズ構成長  前側主点位置  後側主点位置
1    1     155.88        18.44         7.17         -4.64
2    6     -20.75        20.96         0.85        -15.81
3   17       ∞           0.00         0.00         -0.00
4   18       ∞           0.00         0.00         -0.00
5   19     181.31         2.44        -2.01         -3.41
6   21      37.97        17.61         1.86         -9.61
7   28     -44.99         5.92         2.14         -1.06
8   33      81.73        25.60         0.12        -16.62
単レンズデータ
レンズ  始面  焦点距離
1       1   -148.56
2       2    150.65
3       4    153.97
4       6    -24.82
5       8   -122.82
6      10    -57.50
7      11     45.49
8      13    -47.58
9      15     65.89
10      19    181.31
11      21     65.02
12      23     92.03
13      25    -34.74
14      26     33.97
15      28    -33.95
16      30     35.48
17      31    -47.49
18      33     50.12
19      35    -29.47
20      36    118.23
21      38     36.46
22      40    -97.91
【００９３】
（数値実施例６）
単位 mm
面データ
面番号       r        d      nd         νd       有効径
1        195.304    2.00   1.88300    40.8       64.68
2         75.342    8.70   1.49700    81.5       59.33
3      -1857.425    0.15                         57.57
4         75.332    6.55   1.59522    67.7       56.00
5        621.476  (可変)                         55.23
6*         ∞       1.60   1.85400    40.4       34.33
7*        18.547    6.67                         25.45
8        -86.702    1.40   1.77250    49.6       25.26
9        563.073    0.80                         24.40
10*      -237.385    1.20   1.76385    48.5       24.14
11         77.161    3.92   1.72047    34.7       23.35
12        -52.932    2.39                         22.74
13        -19.676    1.20   1.59522    67.7       22.73
14        -47.946    0.15                         22.89
15        645.197    2.33   1.85478    24.8       24.15
16        -83.375  (可変)                         24.72
17(可変絞り)∞     (可変)                         (可変)
18(絞り)    ∞     (可変)                         28.00
19         51.609    2.82   1.84666    23.8       27.91
20        155.048    0.15                         27.94
21         36.994    3.21   1.59522    67.7       28.38
22         55.429    7.70                         27.97
23         25.925    5.94   1.49700    81.5       28.01
24        322.349    0.16                         27.15
25*        64.301    1.50   2.00100    29.1       26.54
26         19.210    6.30   1.51823    58.9       24.46
27       -414.695    0.15                         24.31
28        124.955    1.10   1.88300    40.8       24.23
29         46.143   11.84                         23.98
30         50.342    3.92   1.83481    42.7       28.57
31       -177.113  (可変)                         28.53
32       -174.378    2.53   1.59522    67.7       27.98
33       -109.846    0.15                         27.91
34        239.360    1.40   2.00100    29.1       27.62
35         19.243    6.22   1.43875    94.9       26.60
36         75.243    1.01                         28.00
37         72.960   10.80   1.72151    29.2       29.54
38        -20.375    1.60   1.85400    40.4       30.57
39*       -71.171                                 33.70
【００９４】
非球面データ
第6面
K = 0.00000e+000  A 4= 2.25764e-005  A 6=-4.47930e-008  A 8= 8.47185e-011  A10=-8.64622e-014  
第7面
K = 0.00000e+000  A 4= 6.39712e-006  A 6= 6.31243e-008  A 8=-3.24035e-010  A10= 2.51381e-012  
第10面
K = 0.00000e+000  A 4=-1.33765e-006  A 6= 2.07345e-008  A 8= 4.46521e-011  A10= 5.26572e-013  
第25面
K = 0.00000e+000  A 4=-6.42231e-006  A 6= 8.75690e-010  A 8= 1.00065e-013  A10= 1.40496e-014  
第39面
K = 0.00000e+000  A 4=-5.02536e-006  A 6=-1.29460e-008  A 8= 2.87119e-011  A10=-1.01104e-013  
各種データ
ズーム比      8.23 
広角     中間     望遠
焦点距離      24.30    99.97   199.91  
Fナンバー      4.10     5.71     5.88  
半画角（度）  41.68    12.21     6.18  
像高          21.64    21.64    21.64  
レンズ全長   194.84   258.91   298.20  
BF            39.58    91.95    92.00
d 5            2.25    36.62    77.96  
d16           16.45     4.77     0.51  
d17           14.00     2.34     1.00  
d18           14.00     0.00     0.00  
d31            1.00    15.89    19.20  
ea17          13.99    24.94    25.52
【００９５】
ズームレンズ群データ
群  始面    焦点距離  レンズ構成長  前側主点位置  後側主点位置
1    1     150.30        17.39         6.26         -4.89
2    6     -19.58        21.66         0.65        -16.94
3   17       ∞           0.00         0.00         -0.00
4   18       ∞           0.00         0.00         -0.00
5   19      39.20        44.78        21.04        -31.03
6   32     -89.81        23.70        -6.76        -23.98
単レンズデータ
レンズ  始面  焦点距離
1       1   -140.01
2       2    145.90
3       4    143.38
4       6    -21.72
5       8    -97.17
6      10    -76.11
7      11     44.13
8      13    -56.97
9      15     86.51
10      19     90.24
11      21    175.47
12      23     56.35
13      25    -27.83
14      26     35.60
15      28    -83.40
16      30     47.33
17      32    491.49
18      34    -20.97
19      35     57.00
20      37     23.20
21      38    -33.92
【００９６】
【表１】
0006501495.tif 000003
【００９７】
次に実施例１乃至６に示したズームレンズを撮像装置に適用した実施例を図１４を用いて説明する。本発明の撮像装置はズームレンズを含む交換レンズ装置と、交換レンズ装置とカメラマウント部を介して着脱可能に接続され、ズームレンズが形成する光学像を受光して、電気的な画像信号に変換する撮像素子を含むカメラ本体とを備えている。
【００９８】
図１４は一眼レフカメラの要部概略図である。図１４において１０は実施例１乃至６のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成装置に配置された焦点板４より構成されている。更に焦点板４に形成された逆像を正立像に変換するペンタダハプリズム５、その正立像を観察するための接眼レンズ６などによって構成されている。
【００９９】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮影レンズ１０によって像が形成される。実施例１乃至６にて説明した利益は本実施例に開示したような撮像装置において効果的に享受される。撮像装置としてクイックリターンミラー３のないミラーレスの一眼レフカメラにも同様に適用できる。
【符号の説明】
【０１００】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
ＬＲ  後群
【図１】
0006501495.tif 000004
【図２】
0006501495.tif 000005
【図３】
0006501495.tif 000006
【図４】
0006501495.tif 000007
【図５】
0006501495.tif 000008
【図６】
0006501495.tif 000009
【図７】
0006501495.tif 000010
【図８】
0006501495.tif 000011
【図９】
0006501495.tif 000012
【図１０】
0006501495.tif 000013
【図１１】
0006501495.tif 000014
【図１２】
0006501495.tif 000015
【図１３】
0006501495.tif 000016
【図１４】
0006501495.tif 000017